(57)【特許請求の範囲】
【請求項１】
先端部に雪止め部若しくは雪止め材を取付可能な雪止め取付部を有する板状本体の基端部に、屋根下地材に止着する下地止着部が設けられ、この板状本体の途中部に、屋根下地材上に設置された屋根板の折り返し重合部に係止させるＳ字折曲部が設けられている雪止め金具において、前記板状本体の、前記Ｓ字折曲部と前記下地止着部との間の位置に、この板状本体から切り出されて下方に突出する突片が形成されて、この切り出し突片が前記屋根板の棟側縁部に掛脱自在に掛止可能な掛止部として構成されていると共に、この掛止部の形成位置が、前記Ｓ字折曲部を前記折り返し重合部に係止させた際には前記棟側縁部に掛止せず、Ｓ字折曲部が折り返し重合部から係脱して板状本体が屋根勾配下方側に移動した際に前記棟側縁部に掛止可能な位置に設定されていることを特徴とする雪止め金具。
【請求項２】
前記板状本体の、前記Ｓ字折曲部と前記下地止着部との間の位置に、この板状本体から下方へ切り出されて板状本体の先端側へ突出する突片が形成されて、この切り出し突片が前記屋根板の棟側縁部に掛止する前記掛止部として構成されていることを特徴とする請求項１記載の雪止め金具。
【発明の詳細な説明】
【技術分野】
【０００１】
本発明は、屋根用の雪止め金具に関するものである。
【背景技術】
【０００２】
例えば、横葺屋根用の雪止め金具としては、板状本体の先端部に、雪止め部若しくはアングルなどの雪止め材を取付可能な雪止め取付部が設けられ、板状本体の基端部に屋根下地材（野地板）などに止着可能な止着部が設けられ、板状本体の途中部に、横葺屋根板の折り返し重合部に係止させるＳ字折曲部が設けられたものが知られている（例えば、特許文献１参照）。
【先行技術文献】
【特許文献】
【０００３】
【特許文献１】意匠登録第７２１１２５号公報
【発明の概要】
【発明が解決しようとする課題】
【０００４】
上記従来の横葺屋根用雪止め金具は、前記Ｓ字折曲部を屋根勾配の下方側から横葺屋根板の折り返し重合部に当接係止させ、この状態を作業者が一方の手で動かないように押えながら、もう一方の手で前記止着部を屋根下地材に釘打ちするなどして屋根上に止着固定しているが、この板状本体を押えている最中に作業者が釘や打ち込み工具を準備することなどに気を取られていると、不意に板状本体から手が離れたり押え力が弱くなったりして雪止め金具を屋根勾配の下方側へと滑落させてしまうことがあった。
【０００５】
本発明は、このような従来の雪止め金具の取付作業上の問題点を見い出し、これを解決しようとするもので、下地止着部を屋根下地材に止着するまでの間に板状本体を屋根板に対し滑落防止状態に仮止めしておくことができる取付作業性に優れた雪止め金具を提供するものである。
【課題を解決するための手段】
【０００６】
添付図面を参照して本発明の要旨を説明する。
【０００７】
先端部に雪止め部１若しくは雪止め材を取付可能な雪止め取付部を有する板状本体２の基端部に、屋根下地材９に止着する下地止着部３が設けられ、この板状本体２の途中部に、屋根下地材９上に設置された屋根板６の折り返し重合部７に係止させるＳ字折曲部４が設けられている雪止め金具において、前記板状本体２の、前記Ｓ字折曲部４と前記下地止着部３との間の位置に、この板状本体２から切り出されて下方に突出する突片が形成されて、この切り出し突片５Ａが前記屋根板６の棟側縁部８に掛脱自在に掛止可能な掛止部５として構成されていると共に、この掛止部５の形成位置が、前記Ｓ字折曲部４を前記折り返し重合部７に係止させた際には前記棟側縁部８に掛止せず、Ｓ字折曲部４が折り返し重合部７から係脱して板状本体２が屋根勾配下方側に移動した際に前記棟側縁部８に掛止可能な位置に設定されていることを特徴とする雪止め金具に係るものである。
【０００８】
また、前記板状本体２の、前記Ｓ字折曲部４と前記下地止着部３との間の位置に、この板状本体２から下方へ切り出されて板状本体２の先端側へ突出する突片が形成されて、この切り出し突片５Ａが前記屋根板６の棟側縁部８に掛止する前記掛止部５として構成されていることを特徴とする請求項１記載の雪止め金具に係るものである。
【発明の効果】
【０００９】
本発明は上述のように構成したから、屋根への止着作業に際して、掛止部を屋根板の棟側縁部に掛脱自在に掛止して本雪止め金具を仮止め状態にでき、仮止めにより雪止め金具の滑落を防止でき、これにより例えば止着作業の準備が整うまでの間雪止め金具を動かないように押えておく手間もないので、この止着作業を容易に行うことができ、しかも、掛止部は、Ｓ字折曲部を折り返し重合部に係止させた際には棟側縁部に掛止せず、Ｓ字折曲部が折り返し重合部から係脱して板状本体が屋根勾配下方側に移動した際に棟側縁部に掛止するように設定構成したため、この掛止部がＳ字折曲部を折り返し重合部に係止させる際の邪魔にならず、従来品と同等の取付作業性を確保できると共に、Ｓ字折曲部を折り返し重合部に係止させて下地止着部を屋根下地材に止着する際に例えば作業者がうっかり手を離して滑落させても、掛止部が棟側縁部に掛止して屋根下まで滑落してしまうことを防止できるなど、極めて実用性に優れた雪止め金具となる。
【００１０】
また、本発明においては、前記作用・効果を確実に発揮する掛止部を簡易構成にして容易に設計実現可能となる一層実用性に優れた構成の雪止め金具となる。
【図面の簡単な説明】
【００１１】
【図１】実施例１を示す下方向からの斜視図である。
【図２】実施例１の仮止め状態を示す説明斜視図である。
【図３】実施例１の仮止め状態を示す説明側断面図である。
【図４】実施例１の止着途中の状態を示す説明斜視図である。
【図５】実施例１の使用状態（屋根完成状態）を示す説明側断面図である。
【図６】実施例１の掛止部並びにその変形例を示す説明拡大側断面図である。
【図７】実施例２を示す一部を省略した下方向からの斜視図である。
【図８】実施例３の掛止部並びにその変形例を示す説明拡大側断面図である。
【図９】構成例の掛止部並びにその変形例を示す説明拡大側断面図である。
【発明を実施するための形態】
【００１２】
好適と考える本発明の実施形態を、図面に基づいて本発明の作用を示して簡単に説明する。
【００１３】
本発明の雪止め金具は、そのＳ字折曲部４を屋根勾配の下方側から屋根板６の折り返し重合部７に当接係止すると共に、下地止着部３を屋根下地材９に止着することによって屋根上に固定するが、この止着固定作業にあたって、Ｓ字折曲部４と下地止着部３との間に形成されている掛止部５を、屋根板６の屋根勾配上方側に配する棟側縁部８に掛脱自在に掛止することにより、本雪止め金具を一時的に屋根板６に仮止め状態としておくことができる。
【００１４】
この仮止め状態としておくと、本雪止め金具の屋根勾配下方側への滑落が防止されることになり、従来品の止着作業では必要とされていた、止着作業の準備（例えば止着釘11や止着工具の用意など）が整うまでの間雪止め金具を動かないように手で押えておく手間も要しない。
【００１５】
また、この掛止部５は、Ｓ字折曲部４を前記折り返し重合部７に係止させた際には前記棟側縁部８に掛止しない。そのため、この掛止部５がＳ字折曲部４を前記折り返し重合部７に係止させる際の邪魔にならず、従来品と同等の取付作業性が確保される。
【００１６】
また、例えば、Ｓ字折曲部４を折り返し重合部７に係止させた状態を作業者が一方の手で動かないように押えながら、もう一方の手で下地止着部３を屋根下地材９に止着するような場合に、作業者がうっかり手を離したり手を滑らせたりして本雪止め金具が滑落してしまっても、Ｓ字折曲部４が折り返し重合部７から係脱して板状本体２が屋根勾配下方側に移動した際に掛止部５が前記棟側縁部８に掛止することになるので、掛止部５が棟側縁部８に掛止したところで滑落停止し、屋根下まで滑落することがない。
【実施例１】
【００１７】
本発明の具体的な実施例１について図１〜図６に基づいて説明する。
【００１８】
本実施例の雪止め金具は、図１〜図３に示すように、帯状の板状本体２（例えばステンレス製）の先端部に別部品の雪止め部１を付設（リベット止め）し、板状本体２の基端部の数箇所に止着孔10を貫通形成して、この止着孔10の存する基端部を屋根下地材９に止着する下地止着部３とし、板状本体２のやや基端寄り途中部を、横葺屋根板６の屋根勾配方向の前後端部に形成される折り返し重合部７の折り返し形状に同調する側面視Ｓ字状に折曲してこの折曲部を折り返し重合部７に係止させるＳ字折曲部４としている。尚、雪止め部１は、板状本体２の先端部を折曲形成することによって板状本体２に一体成形する構成を採用しても良いし、雪止め部１を設けず、アングルなどの雪止め材を取付可能な雪止め取付部を板状本体２の先端部に設ける構成を採用しても良い。
【００１９】
本実施例は、前記板状本体２の、前記Ｓ字折曲部４と前記下地止着部３との間に、前記屋根板６の屋根勾配上方側に配する棟側縁部８に掛脱自在に掛止可能な掛止部５を形成している。
【００２０】
具体的には、前記板状本体２から下方へ切り出されて板状本体２の先端側へ突出する突片を形成して、この切り出し突片５Ａを前記屋根板６の棟側縁部８に掛止する前記掛止部５としている。
【００２１】
更に詳しくは、図１，図６に示すように、板状本体２の長さ方向と直交する左右方向の中間位置から切り出し突片５Ａを下方へ切り出し形成することにより、この切り出し突片５Ａの上面と、その近傍の板状本体２下面との間に前記棟側縁部８を嵌入（挿入）可能な掛止間隙12を形成している。即ち、この切り出し突片５Ａ（掛止間隙12）を棟側縁部８に掛脱（嵌脱）自在に被嵌するようにして掛止することにより、屋根板６に対し本雪止め金具を仮止め（位置止め）し得るように構成している（図３参照）。
【００２２】
また、この掛止部５は、その形成位置を、前記Ｓ字折曲部４を前記折り返し重合部７に係止させた際には前記棟側縁部８に掛止せず（図４，図５参照）、Ｓ字折曲部４が折り返し重合部７から係脱して板状本体２が屋根勾配下方側に移動した際に前記棟側縁部８に掛止する（図２，図３参照）位置に設定している。
【００２３】
従って、例えば、Ｓ字折曲部４を折り返し重合部７に係止させた状態を作業者が一方の手で動かないように押えながら、もう一方の手で下地止着部３を屋根下地材９に止着するような場合に、作業者がうっかり手を離したり手を滑らせたりして本雪止め金具が滑落してしまっても、Ｓ字折曲部４が折り返し重合部７から係脱して板状本体２が屋根勾配下方側に少し移動したところで掛止部５が前記棟側縁部８に掛止し、滑落停止することになる構成としている。
【００２４】
また、この掛止部５は、図６（ａ）に示すように、前記切り出し突片５Ａを側面視で下方に向かって凹状に湾曲する湾曲片に形成した場合を示しているが、例えば、図６（ｂ）のように、切り出し突片５Ａをストレートに下り傾斜する形状に形成したり、図６（ｃ），（ｄ）のように、切り出し突片５Ａをストレートに下り傾斜した後、その先端をＬ字状に折曲するような形状に形成しても良く、他の様々な形状にも設計変更可能である。
【００２５】
次に、本実施例の使用方法を説明する。
【００２６】
屋根勾配の下方側に敷設設置した屋根板６の棟側縁部８に、本雪止め金具の掛止部５を掛脱自在に掛止して本雪止め金具を屋根板６に仮止め状態としておき（図２，図３参照）、止着作業の準備が整ったら、板状本体２を正しい止着位置（Ｓ字折曲部４が折り返し重合部７に係止し、下地止着部３が屋根下地材９上に存する位置）に上動是正して下地止着部３を屋根下地材９に止着（釘11止め）し、続いて本雪止め金具のＳ字折曲部４の上から別の屋根板６を被せるように敷設設置する（図４，図５参照）。
【００２７】
また、前記仮止めを行わずに従来通りの止着方法を採用することもできる。即ち、本雪止め金具のＳ字折曲部４を折り返し重合部７に係止させた状態を作業者が一方の手で動かないように押えながら、もう一方の手で下地止着部３を屋根下地材９に止着することができる。
【００２８】
この際、掛止部５は、Ｓ字折曲部４を前記折り返し重合部７に係止させた際には前記棟側縁部８に掛止しないから、この掛止部５がＳ字折曲部４を前記折り返し重合部７に係止させる際の邪魔にはならず、従来品と同等の作業により屋根上に設置できる。
【００２９】
また、止着作業が完了する前にうっかり雪止め金具を押えている手を離したり手を滑らせたりして雪止め金具が滑落してしまっても、Ｓ字折曲部４が折り返し重合部７から係脱して板状本体２が屋根勾配下方側に少し移動したところで掛止部５が前記棟側縁部８に掛止するので、屋根下まで滑落することが防止される。
【実施例２】
【００３０】
本発明の具体的な実施例２について図７に基づいて説明する。
【００３１】
本実施例は、前記実施例１において、前記掛止部５を板状本体２の左右二箇所から切り出し形成した場合である。
【００３２】
具体的には、図７（ａ）に示すように、掛止部５（切り出し突片５Ａ）を板状本体２の中央寄り左右位置から切り出し形成した場合を示しているが、図７（ｂ）のように、掛止部５（切り出し突片５Ａ）を板状本体２の外側左右位置から切り出し形成しても良い。
【００３３】
このように構成した本実施例によれば、左右二箇所の掛止部５によって、一層安定的に屋根板６に対し仮止め可能となる。
【００３４】
他の構成は、前記実施例１と同様である。
【実施例３】
【００３５】
本発明の具体的な実施例３について図８に基づいて説明する。
【００３６】
本実施例は、前記実施例１において、前記掛止部５（切り出し突片５Ａ）の突出先端を折曲形成して、この折曲先端部を突き当て片13とし、この突き当て片13を前記屋根板６の棟側縁部８に突き当てて掛止部５を掛止することにより本雪止め金具が仮止めされるように構成した場合を示している。
【００３７】
具体的には、図８（ａ）に示すように、切り出し突片５Ａをストレートに下り傾斜する形状に形成した後、先端を鉛直上方へストレートに立上げ折曲して、この立上げ先端片を前記突き当て片13とした場合を示しているが、図８（ｂ）のように、切り出し突片５Ａの先端を湾曲状に立上げ折曲した立上げ先端片を突き当て片13としても良い。
【００３８】
また、図８（ｃ）は、前記板状本体２からこの板状本体２の基端側へ突出する切り出し突片５Ａを形成すると共に、この切り出し突片５Ａを直角下方に折曲垂下させてこの垂下片を突き当て片13とした場合を示しており、このような構成を採用しても良い。
【００３９】
他の構成は、前記実施例１と同様である。
［構成例］
構成例について図９に基づいて説明する。
【００４０】
この構成例は、前記実施例１において、切り出し突片５Ａを設けることなく、前記Ｓ字折曲部４と前記下地止着部３との間の位置に、この板状本体２を折曲することにより下方へ下がる段差部５Ｂを形成して、この段差部５Ｂを屋根板６の棟側縁部８に突き当てて掛止する前記掛止部５とした場合である。
【００４１】
具体的には、図９（ａ）に示すように、Ｓ字折曲部４と下地止着部３との間の位置に、垂下板部を有する側断面形状に板状本体２を折曲形成してこの垂下板部を前記段差部５Ｂとした場合を示しているが、図９（ｂ）のように、下方へ半球状（側断面半円弧状）に突出する垂下凸部を有する形状に板状本体２を折曲形成してこの垂下凸部を前記段差部５Ｂとしても良い。
【００４２】
他の構成は、前記実施例１と同様である。
【００４３】
尚、本発明は、実施例１〜３に限られるものではなく、各構成要件の具体的構成は適宜設計し得るものである。
【符号の説明】
【００４４】
１  雪止め部
２  板状本体
３  下地折曲部
４  Ｓ字折曲部
５  掛止部
５Ａ  切り出し突片
６  屋根板
７  折り返し重合部
８  棟側縁部
９  屋根下地材
【図１】
0006021879.tif 000002
【図２】
0006021879.tif 000003
【図３】
0006021879.tif 000004
【図４】
0006021879.tif 000005
【図５】
0006021879.tif 000006
【図６】
0006021879.tif 000007
【図７】
0006021879.tif 000008
【図８】
0006021879.tif 000009
【図９】
0006021879.tif 000010